(57)【特許請求の範囲】
【請求項１】
供水装置および植栽装置を備え、
前記供水装置は貯水容器、灌漑管路、散水ノズルおよび回収管路を有し、前記灌漑管路は一端が前記貯水容器に繋がり、別の一端に供水端を有し、前記回収管路は一端が前記貯水容器に繋がり、
前記植栽装置は集水容器、植栽トレーおよび分流部材を有し、前記集水容器は内側底面、前記内側底面に対応する外側底面、周壁および柱状排水部を有し、前記周壁は前記内側底面を囲んで集水空間と、外部に繋がる開口部とを形成し、前記柱状排水部は前記集水空間に配置され、前記集水容器の前記内側底面および前記外側底面を貫通して前記集水容器の前記内側底面および前記外側底面と反対の方向に突出して伸び、前記柱状排水部は排水孔を有し、前記排水孔は前記柱状排水部の頂部および底部を貫通し、前記植栽トレーは前記集水容器の前記開口部に配置され、接合部を有し、前記接合部は前記集水容器の前記集水空間に対応する貫通孔を有し、前記分流部材は前記植栽トレーの前記接合部の前記貫通孔に嵌まり込み、肥料槽を有し、
前記供水装置の前記散水ノズルは前記灌漑管路の前記供水端と前記植栽装置の前記植栽トレーの前記接合部との間に配置され、
前記植栽装置の前記集水容器の前記排水孔は前記供水装置の前記回収管路の別の一端に接続されることによって前記貯水容器に繋がることを特徴とする水循環灌漑システム。
【請求項２】
さらに照明装置およびコントローラを備え、
前記照明装置は前記植栽装置の前記植栽トレーに当たって散光し、
前記供水装置はさらに前記貯水容器内に水位センサー、ポンプモーターおよびフィルターボックスを有し、
前記コントローラは前記照明装置、前記水位センサーおよび前記ポンプモーターに別々に電気的に接続されることを特徴とする請求項１に記載の水循環灌漑システム。
【請求項３】
前記供水装置の前記灌漑管路は直立部位、水平部位および供水部位を有し、前記直立部位は一端が前記貯水容器に繋がって前記ポンプモーターに接続され、別の一端が前記水平部位に繋がって連結され、前記水平部位の別の一端は前記供水部位に繋がって連結され、前記供水部位の別の一端は前記供水端になることを特徴とする請求項２に記載の水循環灌漑システム。
【請求項４】
前記供水装置の前記回収管路は水平部位と、前記回収回路の前記水平部位に繋がる集水部位とを有し、前記回収回路の前記水平部位は一端が前記貯水容器を貫通して前記フィルターボックスに繋がって連結され、前記回収管路の前記集水部位の別の一端は前記植栽装置の前記集水容器の前記排水孔に繋がることを特徴とする請求項３に記載の水循環灌漑システム。
【請求項５】
前記植栽装置の前記植栽トレーは頂面、前記頂面に対応する底面および少なくとも一つの植栽孔を有し、前記接合部は前記植栽トレーの前記頂面に突出して形成され、末端部が前記植栽トレーの前記底面を貫通して貫通孔になり、少なくとも一つの前記植栽孔は前記植栽トレーの前記頂面および前記底面を貫通することを特徴とする請求項４に記載の水循環灌漑システム。
【請求項６】
前記植栽装置の前記分流部材はさらに少なくとも一つの分岐流路を有し、前記分流部材において、
前記肥料槽は収容空間、開口部、少なくとも一つの側面開口部および複数の支持リブを有し、前記肥料槽の前記開口部および少なくとも一つの前記側面開口部は前記収容空間に別々に繋がり、複数の前記支持リブは前記収容空間に間隔を置いて形成され、それぞれ前記肥料槽の前記開口部に向かう凹状円弧面を有し、
少なくとも一つの前記分岐流路は一端が少なくとも一つの前記側面開口部に繋がり、別の一端が流出端になることを特徴とする請求項１から請求項５のいずれか一つに記載の水循環灌漑システム。
【請求項７】
前記植栽装置の前記分流部材の少なくとも一つの前記分岐流路は第一板状ガイド部および第二板状ガイド部からなり、幅が前記流出端へ漸減することを特徴とする請求項６に記載の水循環灌漑システム。
【請求項８】
さらに複数の前記植栽装置を備え、
前記供水装置はさらに複数の前記散水ノズルを有し、
前記供水装置において、前記灌漑管路は第一パイプおよび少なくとも一つの第二パイプを有し、前記回収管路は少なくとも一つの集水部位を有し、
前記第一パイプは一端が前記貯水容器に繋がり、かつ少なくとも一つの供水端を有し、
少なくとも一つの前記第二パイプの一端および前記回収管路の少なくとも一つの前記集水部位は前記植栽装置の集水容器に別々に繋がり、少なくとも一つの前記第二パイプの一端は供水端であり、
一部分の前記散水ノズルは前記第一パイプの少なくとも一つの前記供水端と前記植栽装置の前記植栽トレーの前記接合部との間に配置され、別の一部分の前記散水ノズルは少なくとも一つの前記第二パイプの前記供水端と前記植栽装置の前記植栽トレーの前記接合部との間に配置されることを特徴とする請求項１に記載の水循環灌漑システム。
【請求項９】
さらにラックを備え、
前記ラックは上から順に配置された複数の層を有し、
複数の前記植栽装置は前記ラックに配置され、
最上層の複数の前記植栽装置の前記植栽トレーの前記接合部は前記灌漑管路の前記第一パイプの少なくとも一つの前記供水端に対応し、
その以外の層の複数の前記植栽装置の前記植栽トレーの前記接合部は、一つ上の層の前記植栽装置の前記集水容器に繋がる少なくとも一つの前記第二パイプの前記供水端に対応し、
前記供水装置の前記回収管路の前記集水部位は最下層の前記植栽装置の前記集水容器に繋がることを特徴とする請求項８に記載の水循環灌漑システム。
【発明の詳細な説明】
【技術分野】
【０００１】
本発明は、植栽に用いる施肥および灌漑設備に関し、詳しくは水循環灌漑システムに関するものである。
【背景技術】
【０００２】
従来の植栽施工を行う際、施肥および灌漑方式は肥料と水を均一に配合して液体肥料を作り、液体肥料を保存タンクに入れることを人の手で行い、続いて保存タンク中の液体肥料を植栽場所へ送り込んで植物の苗に施肥および灌漑を進めることを灌漑設備によって行う。
【０００３】
上述した施肥および灌漑方式は人の手で液体肥料を作り、液体肥料を保存タンクに補充するため、手間が掛かる。また液体肥料に不純物が存在する場合、灌漑設備の性能に影響を与えるだけでなく、施肥および灌漑過程において回収した水と肥料を配合して液体肥料を作れば液体肥料に不純物が残留しやすくなり、灌漑設備の使用寿命が短くなる可能性がある。
【発明の概要】
【発明が解決しようとする課題】
【０００４】
本発明は上述した問題点を鑑み、手間を省いて液体肥料を作る際の利便性を向上させることができる水循環灌漑システムを提供することを主な目的とする。
【課題を解決するための手段】
【０００５】
上述した課題を解決するため、水循環灌漑システムは供水装置および植栽装置を備える。
【０００６】
供水装置は貯水容器、灌漑管路、散水ノズルおよび回収管路を有する。灌漑管路は一端が貯水容器に繋がり、別の一端に供水端を有する。回収管路は一端が貯水容器に繋がる。
【０００７】
植栽装置は集水容器、植栽トレーおよび分流部材を有する。集水容器は内側底面、外側底面、周壁および柱状排水部を有する。周壁は内側底面を囲んで集水空間と、外部に繋がる開口部とを形成する。柱状排水部は集水空間に配置され、集水容器の内側底面および外側底面を貫通して集水容器の内側底面および外側底面と反対の方向に伸びていく。柱状排水部は排水孔を有する。排水孔は柱状排水部の頂部および底部を貫通する。植栽トレーは集水容器の開口部に配置され、接合部を有する。接合部は集水容器の集水空間に対応する貫通孔を有する。分流部材は植栽トレーの接合部の貫通孔に嵌まり込み、肥料槽を有する。
【０００８】
比較的好ましい場合、供水装置の散水ノズルは灌漑管路の供水端と植栽装置の植栽トレーの接合部との間に配置される。
【０００９】
比較的好ましい場合、植栽装置の集水容器の排水孔は供水装置の回収管路の別の一端に接続されることによって貯水容器に繋がる。
【００１０】
本発明による水循環灌漑システムの詳細な構造、特徴、組み立てまたは使用方法は、以下の実施形態の詳細な説明を通して明確にする。また、以下の詳細な説明および本発明により提示された実施形態は本発明を説明するための一例に過ぎず、本発明の請求範囲を限定できないことは、本発明にかかわる領域において常識がある人ならば理解できるはずである。
【図面の簡単な説明】
【００１１】
【図１】本発明の第１実施形態による水循環灌漑システムにおいて二つの植栽装置が配置された状態を示す斜視図である。
【図２】図１中の供水装置の一部分を示す分解斜視図である。
【図３】図１中の構造の一部分を示す関連図である。
【図４】図１中の植栽装置に散水ノズルおよび二つの植栽桶が配置された構造を示す斜視図である。
【図５】図４中の構造の一部分を示す分解斜視図である。
【図６】図４中の構造の一部分を別の角度から見た分解斜視図である。
【図７】図４中の植栽装置を別の角度から見た斜視図である。
【図８】図５中の植栽装置の植栽トレーを示す平面図である。
【図９】図８中の構造の一部分を示す斜視図である。
【図１０】図５中の分流部材を示す斜視図である。
【図１１】図４中の植栽装置に散水ノズルおよび八つの植栽桶が配置された構造を示す斜視図である。
【図１２】本発明の第２実施形態による水循環灌漑システムにおいて数多くの植栽桶が配置された状態を示す斜視図である。
【図１３】図１２中の１３−１３線に沿った断面図である。
【図１４】本発明の第２実施形態による水循環灌漑システムにおいてラックが抜けた状態を示す斜視図である。
【発明を実施するための形態】
【００１２】
以下、本発明による水循環灌漑システムを図面に基づいて説明する。なお明細書において同じ符号は同じ部品または類似した部品の構造特徴を示す。
【００１３】
（第１実施形態）
図１および図３に示すように、本発明の第1実施形態による水循環灌漑システム１０はコントローラ１２、供水装置２０および二つの植栽装置３０を備える。植栽装置３０の数は本実施形態に限定されず、実際のニーズに応じて一つまたは複数であってもよい。供水装置２０および二つの植栽装置３０は作業台（図中未表示）に装着される。作業台は二つの植栽装置３０に当たって散光する二つの照明装置１１（例えばＬＥＤランプ）を有する。
【００１４】
図１および図２に示すように、供水装置２０は貯水容器２１、灌漑管路２２、二つの散水ノズル２３、回収管路２４、水位センサー２５（例えば浮き玉）、ポンプモーター２６および水ろ過ができる材料または部材からなるフィルターボックス２７を有する。
【００１５】
散水ノズル２３の数は植栽装置３０の数に対応して一つまたは複数である。図２に示すように、貯水容器２１は貯水桶２１１と、貯水桶２１１の開口部２１２に嵌まる上面板２１３と、上面板２１３の二つの矩形孔２１４、２１５に嵌まる二つの蓋２１６、２１７とを有する。水位センサー２５は水位を検知するために貯水桶２１１の内部に配置される。ポンプモーター２６は貯水桶２１１の中の水を汲み上げるために貯水桶２１１の内部に配置される。
【００１６】
図１に示すように、灌漑管路２２は直立部位２２１、水平部位２２２および二つの供水部位２２３を有する。直立部位２２１の下端部は貯水容器２１の上面板２１３の円孔２１８を貫通して貯水桶２１１の中のポンプモーター２６に接続される。直立部位２２１の上端部は水平部位２２２に繋がって連結される。二つの供水部位２２３はそれぞれ一端が水平部位２２２に繋がって連結され、別の一端が供水端２２４になる。回収管路２４は水平部位２４１および二つ集水部位２４２を有する。二つの集水部位２４２はそれぞれ水平部位２４１に繋がって連結される。水平部位２４１は一端が貯水容器２１の蓋２１６の穿孔２１９を貫通して蓋２１６の下方のフィルターボックス２７に繋がる。灌漑管路２２の供水部位２２３および供水端２２４の数と、回収管路２４の集水部位２４２の数とは植栽装置３０の数に応じて一つまたは複数である。
【００１７】
図３に示すように、コントローラ１２は照明装置１１、水位センサー２５およびポンプモーター２６に別々に電気的に接続され、かつ照明装置１１の開閉を制御できる。
【００１８】
図１、図４および図５に示すように、それぞれの散水ノズル２３は灌漑管路２２の供水端２２４からの水をキャッチできるカップ状であり、底面２３１に複数の散水孔２３２を有するため、散水ノズル２３の中の水は複数の散水孔２３２から植栽装置３０に徐々に落ちていく。本実施形態において、散水ノズル２３は灌漑管路２２の供水端２２４の下方に位置するように植栽装置３０に着脱可能に配置されるが、これに限定されず、灌漑管路２２の供水端２２４の下方に連結されてもよい。
【００１９】
図１および図４から図７に示すように、植栽装置３０は集水容器４０、植栽トレー５０および分流部材６０を有する。
【００２０】
集水容器４０は、相互に対応する内側底面４１および外側底面４２、周壁４３および柱状排水部４６を有する。周壁４３は内側底面４１を囲んで集水空間４４と、外部に繋がる開口部４５とを形成する。柱状排水部４６は集水容器４０の内側底面４１および外側底面４２を貫通し、両端が集水容器４０の内側底面４１および外側底面４２に突出して伸びていく。柱状排水部４６は排水孔４６１を有する。排水孔４６１は柱状排水部４６の頂部および底部を貫通する。集水容器４０の柱状排水部４６の排水孔４６１は供水装置２０の回収管路２４の集水部位２４２に繋がって連結され、かつ回収管路２４の水平部位２４１を介して貯水容器２１内のフィルターボックス２７に繋がる。集水容器４０は外側底面４２に複数の格子状の嵌合部４８を有する。集水容器４０の複数の格子状の嵌合部４８に対応する構造を有する設置台に植栽装置３０を設置する際、嵌合方式によって植栽装置３０を設置台に固定することができる。
【００２１】
植栽トレー５０は集水容器４０の開口部４５に着脱可能に装着され、大きさが集水容器４０の開口部４５の大きさと一致する。植栽トレー５０は相互に対応する頂面５１および底面５２、接合部５３および二つの植栽孔５５を有する。植栽装置３０の植栽トレー５０の接合部５３は供水装置２０の散水ノズル２３に対応して着脱可能に装着される。本実施形態において、接合部５３は植栽トレー５０の頂面５１から上へ突出して伸びて形成され、末端部が植栽トレー５０の底面５２を貫通して貫通孔５３１になる。二つの植栽孔５５は植栽トレー５０の頂面５１および底面５２を貫通する。二つの植物の苗を有する植栽桶５６は二つ植栽孔５５に差し込まれる。
【００２２】
図４および図１１に示すように、それぞれの植栽装置３０の植栽トレー５０は集水容器４０の開口部４５に着脱可能に装着される。植栽トレー５０の植栽孔５５は数が一つまたは複数である。つまり、実際のニーズに応じて植栽装置３０の植栽トレー５０の形態を選択または交換すれば本発明の機能性を向上させることができる。
【００２３】
図５から図１０に示すように、分流部材６０は肥料槽６１、二つの肥料槽６１に繋がる分岐流路６３および二つの締付部６５を有する。分流部材６０において、肥料槽６１は位置が植栽トレー５０の接合部５３の貫通孔５３１に対応する。それぞれの分岐流路６３の一端とそれぞれの締付部６５は肥料槽６１の外周壁面に間隔を置いて配置される。肥料槽６１は収容空間６１１、開口部６１２、二つの側面開口部６１３および三つの支持リブ６１４を有する。固形肥料７０（例えば遅溶性固形肥料）は収容空間６１１内に収容される。開口部６１２および二つの側面開口部６１３は収容空間６１１に別々に繋がる。三つの支持リブ６１４は収容空間６１１に間隔を置いて形成され、それぞれ開口部６１２に向かう凹状円弧面６１５を有する。それぞれの分岐流路６３は一端が側面開口部６１３に繋がり、別の一端が流出端６３１になる。それぞれの分岐流路６３は第一板状ガイド部６３２および第二板状ガイド部６３３からなり、幅が流出端６３１へ漸減する。比較的好ましい場合、分岐流路６３の第一板状ガイド部６３２および第二板状ガイド部６３３は断面がＶ字型である。
【００２４】
分流部材６０において、肥料槽６１の支持リブ６１４の数および分岐流路６３の数は一つまた複数であり、実際に植える株の量に応じて増減する。分流部材６０の二つの締付部６５に二つのボルトを差し込めば植栽トレー５０の底面５２の貫通孔５３１の周りに分流部材６０を締め付けることができる。
【００２５】
図１から図１０に示すように、以上は本発明の第１実施形態による水循環灌漑システム１０の構造、技術特徴および連結手段についての説明である。続いて作業方法およびプロセスについて説明を進める。
【００２６】
まず植栽装置３０の植栽トレー５０の接合部５３の貫通孔５３１から固形肥料７０を分流部材６０の肥料槽６１の複数の支持リブ６１４の上に置く。特に複数の支持リブ６１４の凹状円弧面６１５によって固形肥料７０の一部分を位置決めすれば好ましい。続いて、供水装置２０の複数の散水ノズル２３と植栽装置３０の植栽トレー５０の接合部５３を接合し、散水ノズル２３の底面２３１の複数の散水孔２３２を植栽トレー５０の接合部５３の貫通孔５３１に対応させ、分流部材６０の肥料槽６１内の固形肥料７０の上方に位置させる。続いて、二つの植物の苗を有する植栽桶５６を二つ植栽孔５５に差し込む。
【００２７】
続いて、供水装置２０を起動すれば、貯水容器２１の貯水桶２１１内の水はポンプモーター２６によって一定時間内に灌漑管路２２へ送り出され、供水端２２４から散水ノズル２３に流入し、続いて散水ノズル２３から分流部材６０の肥料槽６１内の固形肥料７０に落ちてくる。固形肥料７０は徐々に溶けて低濃度液体肥料になる。低濃度液体肥料が分流部材６０のそれぞれの分岐流路６３の流出端６３１から集水容器４０の集水空間４４に流れ込んで溜まれば、集水容器４０に嵌まり込んだの植栽桶５６内の苗の底部または根部に施肥および灌漑を進めることができる。
【００２８】
集水容器４０の集水空間４４内の水位が上昇して集水容器４０の集水空間４４の排水孔４６１を超えれば、低濃度液体肥料は排水孔４６１から溢れて供水装置２０の回収管路２４を流れ、回収管路２４の集水部位２４２、水平部位２４１を通って貯水容器２１のフィルターボックス２７に流れ込む。つまり、集水容器４０の集水空間４４に溢れた低濃度液体肥料は供水装置２０の貯水容器２１に流れ込んで回収される。
【００２９】
以上は第１実施形態による水循環灌漑システム１０の作業プロセスおよびそれぞれの部材の作用についての説明である。続いて、本実施形態の達成できる技術特徴について説明を進める。
【００３０】
その一つは手間を大幅に削減できるだけでなく、低濃度液体肥料を生成する際の利便性をはかると同時に施肥および灌漑を行うことができる。詳しく言えば、それぞれの植栽装置３０の分流部材６０の肥料槽６１に固形肥料７０を予め置き、供水装置２０の貯水容器２１の貯水桶２１１内の水量を一定に保つ。続いてポンプモーター２６を起動して貯水桶２１１内の水を汲み上げ、完全な循環システムを構成すれば、低濃度液体肥料を生成すると同時に集水容器４０に嵌まり込んだの植栽桶５６内の苗の底部または根部に施肥および灌漑を進めることができる。
【００３１】
その一つは水循環および灌漑を自動的に行う技術的効果を達成できるだけでなく、矩形孔２１５によって貯水容器２１に水を補充することもできる。詳しく言えば、水位センサー２５は供水装置２０の貯水桶２１１内に配置され、コントローラ１２に電気的に接続されるため、コントローラ１２は水位センサー２５からの供水信号をキャッチし、ポンプモーター２６を制御することによって一定時間内に貯水容器２１内の水を汲み上げて灌漑管路２２に流入させることができる。
【００３２】
その一つは再び植栽装置３０の集水容器４０に流入する低濃度液体肥料の不純物を大幅に低減し、全体の水循環灌漑システム１０およびそれぞれの部材の使用寿命を効果的に延長することができる。詳しく言えば、集水容器４０の集水空間４４内の低濃度液体肥料は供水装置２０の回収管路２４を通って貯水容器２１のフィルターボックス２７に流れ込むため、貯水容器２１のフィルターボックス２７は低濃度液体肥料の不純物をろ過し、ろ過した低濃度液体肥料を貯水容器２１の貯水桶２１１に流入させることができる。
【００３３】
（第２実施形態）
図１２から図１４に示すように、本発明の第２実施形態による水循環灌漑システム１０Ａは第１実施形態により掲示された構造を拡張して多層植栽システムを構成することによって施肥および灌漑効率を大いに向上させる。水循環灌漑システム１０Ａはラック１３Ａと、第１実施形態により掲示された供水装置２０Ａと、１６個の第１実施形態により掲示された植栽装置３０Ａとを備える。第１実施形態との違いは下記のとおりである。
【００３４】
ラック１３Ａは上から順に配置された第一層１５Ａから第四層１８Ａを有する。
１６個の植栽装置３０Ａは集水容器４０Ａがラック１３Ａの第一層１５Ａから第四層１８Ａまで順に配置される。供水装置２０Ａは複数の散水ノズル２３Ａによって１６個の植栽装置３０Ａの分流部材６０Ａに水を撒いて分流部材６０Ａの肥料槽中の固形肥料を水に溶かして低濃度液体肥料を生成する。水循環灌漑システム１０Ａはさらに数多くの照明装置１１Ａを備える。数多くの照明装置１１Ａはラック１３Ａの天板１３１Ａの内側表面１３２Ａおよび第一層１５Ａから第三層１７Ａの植栽装置３０Ａの集水容器４０Ａの外側底面に位置付けられ、それぞれの植栽装置３０Ａの植栽トレー５０Ａの複数の植栽桶５６Ａ内の植物の苗に当たって散光する。
【００３５】
供水装置２０Ａの灌漑管路２２Ａは第一パイプ２２０Ａおよび１２個の第二パイプ２２０Ｂを有する。第一パイプ２２０Ａにおいて、直立部位２２１Ａは比較的長く、ラック１３Ａの最上層の第一層１５Ａの植栽装置３０Ａの位置まで延長される。水平部位２２２Ａは拡張されて四つの供水部位２２３Ａに連結され、それぞれの供水部位２２３Ａの供水端２２４Ａを下方の植栽装置３０Ａの散水ノズル２３Ａに対応させる。１２個の第二パイプ２２０Ｂは一端がラック１３Ａの第一層１５Ａから第三層１７Ａの植栽装置３０Ａの集水容器４０Ａの排水孔に別々に連結され、別の一端が供水端２２４Ｂになる。言い換えれば、第一パイプ２２０Ａの供水部位２２３Ａは供水端２２４Ａを有する。１２個の第二パイプ２２０Ｂはそれぞれ供水端２２４Ｂを有する。供水端２２４Ａ、２２４Ｂの総数は植栽装置３０Ａの数に対応する。
【００３６】
供水装置２０Ａの回収管路２４Ａは二つの水平部位２４１Ａを有する。二つの水平部位２４１Ａはそれぞれ二つの集水部位２４２Ａの一端に連結される。それぞれの集水部位２４２Ａの別の一端はラック１３Ａの第四層１８Ａの植栽装置３０Ａの集水容器４０Ａの排水孔に繋がって連結される。
【００３７】
ラック１３Ａの第一層１５Ａから第三層１７Ａの植栽装置３０Ａの集水容器４０Ａの水位が上昇して集水容器４０Ａの排水孔を超えた際、低濃度液体肥料は集水容器４０Ａの排水孔から溢れて第二パイプ２２０Ｂの供水端２２４Ｂから流出し、ラック１３Ａの第二層１６Ａから第四層１８Ａの植栽装置３０Ａの上の散水ノズル２３Ａに落ちてくる。続いて、散水ノズル２３Ａによってラック１３Ａの第二層１６Ａから第四層１８Ａの植栽装置３０Ａの中の植物の苗に施肥および灌漑を行う。続いて、ラック１３Ａの第四層１８Ａの植栽装置３０Ａの集水容器４０Ａの水位が上昇して集水容器４０Ａの排水孔を超えた際、低濃度液体肥料は集水容器４０Ａの排水孔から溢れて供水装置２０Ａの回収管路２４Ａの集水部位２４２Ａおよび水平部位２４１Ａを通って貯水容器２１Ａに流れ込む。上述した構造特徴により、第２実施形態は多層の水循環灌漑システム１０Ａを構築できる。
【００３８】
各層で配合して生成した液体肥料の濃度が異なる。つまり、上の層の液体肥料は下の層より清浄な水に溶けた固形肥料からなるため、下の層より不純物が少ない。上の層に完全に吸収されていない肥料栄養素は下の層の液体肥料に溶けて積み重なる。上述した構造特徴により、ユーザーのニーズに応じて施肥量および灌漑量の異なる植物を異なる層に配置することができる。つまり、第２実施形態による多層式水循環灌漑システム１０Ａを応用する際の多様性および機動性を向上させることができる。
【符号の説明】
【００３９】
１０、１０Ａ：水循環灌漑システム、  
１１、１１Ａ：照明装置、  
１２：コントローラ、  
１３、１３Ａ：ラック、  
１３１Ａ：天板、  
１３２Ａ：内側表面、    
１５Ａから１８Ａ：第一層から第四層、  
２０、２０Ａ：供水装置、  
２１、２１Ａ：貯水容器、  
２１１：貯水桶、  
２１２：開口部、  
２１３：上面板、  
２１４、２１５：矩形孔、  
２１６、２１７：蓋、  
２１８：円孔、  
２１９：穿孔、  
２２、２２Ａ：灌漑管路、  
２２０Ａ：第一パイプ、  
２２０Ｂ：第二パイプ、  
２２１、２２１Ａ：直立部位、  
２２２、２２２Ａ：水平部位、  
２２３、２２３Ａ：供水部位、  
２２４、２２４Ａ、２２４Ｂ：供水端、  
２３、２３Ａ：散水ノズル、  
２３１：底面、  
２３２：散水孔、  
２４、２４Ａ：回収管路、  
２４１、２４１Ａ：水平部位、  
２４２、２４２Ａ：集水部位、  
２５：水位センサー、  
２６：ポンプモーター、  
２７：フィルターボックス、  
３０、３０Ａ：植栽装置、  
４０、４０Ａ：集水容器、  
４１：内側底面、  
４２：外側底面、  
４３：周壁、
４４：集水空間、
４５：開口部、
４６：柱状排水部、
４６１：排水孔、
４８：嵌合部、  
３２２：ねじ孔、  
５０、５０Ａ：植栽トレー、  
５１：頂面、  
５２：底面、  
５３：接合部、
５３１：貫通孔
５５：植栽孔、
５６、５６Ａ：植栽桶、
６０、６０Ａ：分流部材、
６１：肥料槽、  
６１１：収容空間、  
６１２：開口部、  
６１３：側面開口部、  
６１４：支持リブ、
６１５：凹状円弧面、  
６３：分岐流路、  
６３１：流出端、  
６３２：第一板状ガイド部、
６３３：第二板状ガイド部、
６５：締付部、
７０：固形肥料、  
【要約】
【課題】水循環灌漑システムを提供する。
【解決手段】水循環灌漑システムは供水装置および植栽装置を備える。供水装置は貯水容器、灌漑管路、散水ノズルおよび回収管路を有する。灌漑管路は一端が貯水容器に繋がり、別の一端に供水端を有する。植栽装置は集水容器、植栽トレーおよび分流部材を有する。集水容器は柱状排水部を有する。植栽トレーは集水容器の開口部に配置され、接合部を有する。接合部は集水容器の集水空間に対応する貫通孔を有する。分流部材は植栽トレーの接合部の貫通孔に嵌まり込み、肥料槽を有する。上述した構造特徴により、本発明は手間を省いて液体肥料を作る際の利便性を向上させることができる。
【選択図】  図１【図１】
0006855150.tif 000002
【図２】
0006855150.tif 000003
【図３】
0006855150.tif 000004
【図４】
0006855150.tif 000005
【図５】
0006855150.tif 000006
【図６】
0006855150.tif 000007
【図７】
0006855150.tif 000008
【図８】
0006855150.tif 000009
【図９】
0006855150.tif 000010
【図１０】
0006855150.tif 000011
【図１１】
0006855150.tif 000012
【図１２】
0006855150.tif 000013
【図１３】
0006855150.tif 000014
【図１４】
0006855150.tif 000015